(57)【要約】      （修正有）【課題】いちごの密な収納と先端部の形状維持の同時達成を図る【解決手段】予め決められた一定の面積を有するトレー１の収納面に凹陥からなる複数のいちご収納部２を設ける。いちご収納部は平面視略円形状に形成される本体凹陥部４と、該本体凹陥部に連続して形成される平面視略三角形状の先端凹陥部５とからなる。すべての先端凹陥部がトレーの基辺７に対し斜設されかつ基辺に直交する一の直交エッジ部に面する先端凹陥部５ｂの向きが隣接する先端凹陥部５ａの向きに対し反対方向に形成される。よっていちごの先端部がすべて同一方向に収納されても、隣接する先端部に干渉せずにギャップ６ａ、６ｂを可及的に小とするから、いちごを単位面積当たり密に収納することができ、また中心３ａ、３ｂの位置ずれにより振動が発生しても、先端部が容器９のエッジ８や蓋に衝突するのを防止する。【選択図】図１
2014084135.tif 000002
【特許請求の範囲】
【請求項１】
容器に装填されるいちご収納トレーにおいて、トレーは収納面が予め決められた一定の面積を有し、該収納面にいちごが収納される凹陥からなる複数のいちご収納部が設けられ、該いちご収納部は平面視略円形状に形成される本体凹陥部と、該本体凹陥部に連続して形成される平面視略三角形状の先端凹陥部とからなり、すべての先端凹陥部がトレーの基辺に対し斜設され、かつ、該基辺に直交する一の直交エッジ部に面する先端凹陥部の向きが隣接する先端凹陥部の向きに対し反対方向に形成されてなることを特徴とするいちご収納トレー。
【請求項２】
請求項１記載のいちご収納トレーおいて、上記基辺に対し直交する方向に設けられたいちご収納部の最初の列及び最後の列が夫々反対方向に形成されてなることを特徴とするいちご収納トレー。
【請求項３】
請求項１記載のいちご収納トレーにおいて、上記いちご収納部は複数列設けられ、各列の向きが交互であることを特徴とするいちご収納トレー。
【請求項４】
請求項１記載のいちご収納トレーにおいて、上記いちご収納部は上記基辺に沿って複数個設けられ、かつ上記基辺に対し直交する方向にも複数個設けられることを特徴とするいちご収納トレー。
【請求項５】
請求項１記載のいちご収納トレーにおいて、上記基辺が上記容器に設けられる蓋の開閉部に沿って形成されることを特徴とするいちご収納トレー。
【請求項６】
請求項１記載のいちご収納トレーにおいて、上記基辺が上記容器に設けられる蓋の開閉部に直交して形成されることを特徴とするいちご収納トレー。
【請求項７】
容器に装填されるいちご収納トレーであって、該トレーは収納面が予め決められた一定の面積を有し、該収納面にいちごが収納される凹陥からなる複数のいちご収納部が設けられ、該いちご収納部は平面視略円形状に形成される本体凹陥部と、該本体凹陥部に連続して形成される平面視略三角形状の先端凹陥部とからなり、すべての先端凹陥部がトレーの基辺に対し斜設され、かつ、該基辺に直交する一の直交エッジ部に面する先端凹陥部の向きが隣接する先端凹陥部の向きに対し反対方向に形成されてなり、上記トレーが装填されたことを特徴とするいちご容器。
【発明の詳細な説明】
【技術分野】
【０００１】
本願発明は包装容器に関し、とくにいちごを収納するいちご収納トレーに関する。
【背景技術】
【０００２】
いちご容器は搬送上の都合から容器の寸法が事実上決められている。つまり、いちごが収納された容器は、例えば、（２×４）列×２段ずつダンボール製のカートン箱に詰められ、かかるカートン箱が荷役用のパレット上に（縦２×横３）列×複数段（例えば１４段）積層され、フォークリフトにより荷上げ、荷下ろしされる。荷役用のパレットの方形寸法は搬送上の都合から事実上規格化されている。このため、カートン箱及びいちご容器の寸法もこれに合致するよう求められるのである。よって、いちご容器に装填されるトレーの方形寸法も所定大となっており、収納面が事実上一定の面積に決められている。この搬送上の都合に伴なう制約は、外国取引とくに空輸されることが多い外国からのいちごの輸入の場合顕著となる傾向がある。
【０００３】
ところで、いちごは、その性質上基端部が傷み難いが、先端部は小なる振動によっても損傷し易い。またいちごは、先端部の形状維持が商品価値に大きく影響を及ぼす。このため、いちごはパック等の容器に収納されて流通、販売されている。
【０００４】
従来のいちご容器はダンボール製の箱形のものが主流であった。しかし、このような容器では、いちごを密に収納できる反面、いちごの収納が不定となり、収納されたいちご同士が流通過程で衝突した場合損傷することがあった。
【０００５】
また贈答用等の場合、透明の箱形パックの底部に薄い発泡ポリエチレンからなる中敷を敷いて振動からいちごを保護しようとするものがあった。しかし、このような容器でも大なる振動には対応できないことが多く、またいちごを密に収納できない難があった。
【０００６】
さらに、外国からの輸入取引においてはいちごを密に収納することが多いが、この場合、いちごのように傷み易いものであっても中敷を敷いた容器にいちごを収納するというようなことは行なわれないことが多い。このような場合、搬送中に損傷リスクが大となる欠点があった。
【０００７】
そこで、最近では特許文献１乃至４の如きトレーを敷いた容器が提案されている。
【先行技術文献】
【特許文献】
【０００８】
【特許文献１】特開２０１１−１０２１５２号公報
【特許文献２】特開２０１１−２５９４３号公報
【特許文献３】特開２０１０−１６８０８３号公報
【特許文献４】特開２００９−９６５４７号公報
【０００９】
特許文献１には半球状の収納凹部を備えたトレーが記載されている。これはいちごの基端部を収納凹部に収納して安定化を図るものであるが、いちごの先端部が上向きとなるため、収納されるいちご間にギャップ乃至遊びが多く生じる。このため搬送中の振動により先端部が蓋に衝突し、商品価値に大きく影響を及ぼす先端部が損傷し易い難があった。
【００１０】
また特許文献１乃至特許文献４にはいちごを収納する収納凹部がトレーに斜設されたものも提案されている。これらは収納されるいちご間に生ずるギャップによる難は軽減されるが、最後列のいちごの先端部が容器のエッジに面することとなるため、搬送中先端部が容器のエッジや蓋に触れるリスクが高くなり、これにより商品価値に大きく影響を及ぼす先端部が損傷し易い難があった。
【発明の概要】
【発明が解決しようとする課題】
【００１１】
本願発明は上記背景に鑑み、商品価値に大きく影響を及ぼす先端部の形状維持を図りながら、かつ容器へのいちごの収納を密にするという両立し難い課題の同時達成を図ることを目的とする。
【００１２】
また、容器に収納されたいちご全体の形状を消費者に訴求することにより、良好な陳列効果を図ることも目的とする。
【課題を解決するための手段】
【００１３】
上記目標達成のため、本願発明によるいちご収納トレーは、容器に装填されるいちご収納トレーにおいて、トレーは収納面が予め決められた一定の面積を有し、該収納面にいちごが収納される凹陥からなる複数のいちご収納部が設けられ、該いちご収納部は平面視略円形状に形成される本体凹陥部と、該本体凹陥部に連続して形成される平面視略三角形状の先端凹陥部とからなり、すべての先端凹陥部がトレーの基辺に対し斜設され、かつ、該基辺に直交する一の直交エッジ部に面する先端凹陥部の向きが隣接する先端凹陥部の向きに対し反対方向に形成されてなることを特徴とする。
また、請求項１記載のいちご収納トレーおいて、上記基辺に対し直交する方向に設けられたいちご収納部の最初の列及び最後の列が夫々反対方向に形成されてなることを特徴とする。
また、請求項１記載のいちご収納トレーにおいて、上記いちご収納部は複数列設けられ、各列の向きが交互であることを特徴とする。
また、請求項１記載のいちご収納トレーにおいて、上記いちご収納部は上記基辺に沿って複数個設けられ、かつ上記基辺に対し直交する方向にも複数個設けられることを特徴とする。
また、請求項１記載のいちご収納トレーにおいて、上記基辺が上記容器に設けられる蓋の開閉部に沿って形成されることを特徴とする。
また、請求項１記載のいちご収納トレーにおいて、上記基辺が上記容器に設けられる蓋の開閉部に直交して形成されることを特徴とする。
また、本願発明によるいちご容器は、容器に装填されるいちご収納トレーであって、該トレーは収納面が予め決められた一定の面積を有し、該収納面にいちごが収納される凹陥からなる複数のいちご収納部が設けられ、該いちご収納部は平面視略円形状に形成される本体凹陥部と、該本体凹陥部に連続して形成される平面視略三角形状の先端凹陥部とからなり、すべての先端凹陥部がトレーの基辺に対し斜設され、かつ、該基辺に直交する一の直交エッジ部に面する先端凹陥部の向きが隣接する先端凹陥部の向きに対し反対方向に形成されてなり、上記トレーが装填されたことを特徴とする。
【発明の効果】
【００１４】
本願発明によるいちご収納トレーは、すべてのいちご収納部がトレーの基辺に対し斜設されている。このため、いちごを収納する際、テーパ状に径小となるいちごの先端部がすべて同一方向となっても、隣接する先端部に干渉せずにギャップを可及的に小とする。よっていちごをトレーの単位面積当たり一層密に収納することができる。
【００１５】
また基辺に直交する一の直交エッジ部に面する先端凹陥部の向きが隣接する先端凹陥部の向きに対し反対方向に形成されてなる。つまり、最終列の各いちご収納部は、各先端凹陥部に隣接する列の各先端凹陥部に対し逆向きになっている。
【００１６】
この結果、最終列の本体凹陥部の中心と、隣接する列の本体凹陥部の中心とは位置がずれる。
【００１７】
この位置ずれにより、いちごを単位面積当たり密に収納するにもかかわらず、最終列の先端凹陥部が隣接する列の先端凹陥部に干渉されずに、三角形状の先端凹陥部を最終列の本体凹陥部と隣接する列の本体凹陥部との間に配設することができるのである。
【００１８】
よって、流通搬送中に振動が発生しても、トレーのエッジに衝突することはないので、いちごとくに先端部が損傷する恐れがない。
【図面の簡単な説明】
【００１９】
【図１】（Ａ）は本願発明によるいちご収納トレーの実施の形態を示す正面図、（Ｂ）は（Ａ）のＢ部詳細図、（Ｃ）は（Ｂ）の右側面図である。
【図２】図１の背面図である。
【図３】図１の底面図である。
【図４】図１のいちご収納トレーを容器に装填した状態を示す正面図である。
【図５】図１のいちご収納トレーを容器に装填した状態を示す他の実施例の正面図である。
【図６】本願発明によるいちご収納トレーの他の実施の形態を示す正面図である。
【図７】いちごを示す正面図である。
【図８】（Ａ）は本願発明によるいちご収納トレーの他の実施例を示す正面図、（Ｂ）は（Ａ）のＢ部詳細図、（Ｃ）は（Ｂ）の右側面図である。
【図９】（Ａ）は本願発明によるいちご収納トレーのさらに他の実施例を示す正面図、（Ｂ）は（Ａ）のＢ部詳細図、（Ｃ）は（Ｂ）の右側面図である。
【発明を実施するための形態】
【００２０】
次に、実施の形態を示す図面に基づき本願発明によるいちご収納トレーをさらに詳しく説明する。なお、便宜上同一の機能を奏する部分には同一の符号を付してその説明を省略する。１はトレーであり、厚さ１．５ｍｍの発泡ポリエチレンからなり、方形に形成される。方形の寸法は搬送の都合から事実上決められている。図１の場合縦Ｌが１４０ｍｍ、横Ｗが１７０ｍｍとなっている。該トレー１に複数個のいちご収納部２が設けられる。
【００２１】
該いちご収納部２は上記トレー１を凹陥せしめてなる本体凹陥部４および該本体凹陥部に連続して形成される先端凹陥部５からなる。本体凹陥部４はいちご１１の基端部１３を収納するための凹陥であり、開口を上からみたとき略円形状に形成され、底面は容器への載置が安定するよう扁平に形成される。本体凹陥部４の深さＤは１４．５ｍｍ、直径Ｅは３３ｍｍである。先端凹陥部５はいちご１１の先端部１２を収納するための凹陥であり、開口を上からみたとき略三角形状に形成され、底面はいちご１１の先端部１２のテーパ形状に対応するよう上向きの傾斜に形成される。なお、１４はいちご１１のへた（図７に示す）である。
【００２２】
上記いちご収納部２は、トレー１の基辺７に対し、先端凹陥部５ａが上向きに傾斜するよう配設し、各列２Ａ乃至２Ｄを構成する。即ち、各列２Ａ乃至２Ｄの先端凹陥部５ａはすべて同一の方向に配設される。最後の列を構成するいちご収納部２Ｅは、先端凹陥部５ｂの向きが上記各列２Ａ乃至２Ｄの先端凹陥部５ａとは反対の下向きに傾斜する。先端凹陥部５ａ及び先端凹陥部５ｂの傾斜角αは図１実施例の場合４５°である。また、先端凹陥部５ａ及び先端凹陥部５ｂの深さ角βはともに４５°である。かくして、トレー１に基辺７に沿った４行×基辺７に直交した５列＝２０個のいちご収納部２が配設される。
【００２３】
図１の実施の形態は、各列２Ａ乃至２Ｄの先端凹陥部５ａの向きを上向き（正）とし、最後の列２Ｅの先端凹陥部５ｂの向きを下向き（逆）とした場合である。
【００２４】
図４はかかるトレー１を容器９に装填し、ここにいちご１１を収納した場合を示す。この場合、トレー１は容器９の蓋１０が前後方向に開閉するよう装填されている。このようにトレー１を容器９に装填すると、いちごの収納に当たり、蓋１０が作業員の手に当たることがないので、作業が一層捗る効果がある。図５は蓋１０が左右方向に開閉するよう装填する他の実施例を示す。
【００２５】
本実施の形態によれば、すべてのいちご収納部２がトレーの基辺７に対し斜設されているから、いちご１１を収納する際、テーパ状に径小となるいちごの先端部１２がすべて同一方向となっても、隣接する先端部１２に干渉せずにギャップ６ａ、６ｂを可及的に小とする。よっていちご１１を単位面積当たり密に収納することができる。
【００２６】
また基辺に直交する一の直交エッジ部８ａに面する先端凹陥部５ｂの向きが隣接する先端凹陥部５ａの向きに対し反対方向に形成されてなる。つまり、最終列２Ｅの各いちご収納部２は、各先端凹陥部５ｂが隣接する列２Ｄの各先端凹陥部５ａに対し逆向きになっている。
【００２７】
ここで、列２Ａ−２Ｂ、列２Ｂ−２Ｃ及び列２Ｃ−２Ｄの各中心３ａ−３ａ間の横Ｗ方向の距離ａは夫々３３ｍｍに形成され等しいのであるが、最終列２Ｅ−２Ｄの各中心３ａ−３ｂ間の同距離ｂは３５ｍｍに形成され、上記各中心３ａ−３ａ間の距離ａより大に形成される。この結果、最終列２Ｅの本体凹陥部４ｂの中心３ｂと、隣接する列２Ｄの本体凹陥部４ａの中心３ａとは位置がずれる。なお、本実施例では各行間の中心３ａ−３ａ間の縦Ｌ方向の距離ｃ及び各行間の最後のいちご収納部の中心３ｂ−３ｂ間の縦Ｌ方向の距離ｃは等しく３３．５ｍｍに形成され、距離ｂ＞距離ｃ＞距離ａとなっている。
【００２８】
この位置ずれにより、最終列２Ｅの先端凹陥部５ｂが隣接する列２Ｄの先端凹陥部５ａに干渉されずに、三角形状の先端凹陥部５ｂを最終列２Ｅの本体凹陥部４ｂと隣接する列２Ｄの本体凹陥部４ａとの間に配設することができるのである。よって流通搬送中に振動が発生しても、商品価値に大きな影響を及ぼすいちご１１の先端部１２が容器９のエッジ８に衝突するのを防止することができるので、いちご１１とくに先端部１２が損傷する恐れがない。
【００２９】
また、流通搬送中に振動が発生しても、容器９の蓋１０による干渉がないので、いちご１１とくに先端部１２が損傷する恐れがない。
【００３０】
図６の実施の形態は、列２Ａの先端凹陥部５ａの向きを上向き（正）とし、列２Ｂの先端凹陥部５ｂの向きを下向き（逆）とし、列２Ｃの先端凹陥部５ａの向きを上向き（正）とし、列２Ｄの先端凹陥部５ｂの向きを下向き（逆）とした場合である。
【００３１】
図６の場合、トレー１の方形寸法Ｌ、Ｗは図１の場合と同一である。この場合、いちご収納部２は４行×４列＝１６個設けられる。よって先端凹陥部５ａの傾斜角α1は６０°に、先端凹陥部５ｂの傾斜角α2は３０°に各設定され、また先端凹陥部５ａ及び先端凹陥部５ｂの深さ角βはともに５５°に設定される。この場合の本体凹陥部４の深さＤは１６ｍｍ、直径Ｅは３６ｍｍである。図６の場合、各中心間の距離は、ａ＝４２．５ｍｍ、ｂ＝４４．９６ｍｍ、ｃ＝３３．５ｍｍに設定されｂ＞ａ＞ｃに形成される。
【００３２】
図６のように先端凹陥部５の向きを交互に反対方向にすると、隣接するいちご１１の基端部１３が尻合わせとなって、本体凹陥部４ａ、４ｂ間のギャップ６ａ、６ｂが一層小となるので、一層いちごの収納を密とすることができ望ましい。よって、かかる実施の形態においても、図１の実施の形態で述べたと同様、商品価値に大きく影響を及ぼす先端部１２の形状維持を図りながら、かつ単位面積当たりの容器へのいちご１１の収納を密にするという両立し難い課題の同時達成を図ることができる。
【００３３】
本願発明は上記した実施の形態に限定されることはない。例えば、いちご収納部２の個数及び行列数は任意である。いちご収納部２の傾斜角αは上記実施例の数値に限定されないが、いちご収納部２の個数及び行列数の個数に影響を受ける。これは、搬送の都合からトレー１の方形寸法が事実上決められているところ、所定の面積の中に先端部１２の形状維持と単位面積当たりの最も密な収納を図るため、最適な傾斜角αを求める必要があるからである。例えば、図１の場合には、いちご収納部２を５×４＝２０個に設定したため、先端凹陥部５ａ及び先端凹陥部５ｂの傾斜角αはともに４５°に設定される。図６の場合には、いちご収納部２を４×４＝１６個に設定したため、先端凹陥部５ａの傾斜角α1は６０°に、先端凹陥部５ｂの傾斜角α2は３０°に各設定される。図８の場合には、いちご収納部２を６×４＝２４個に設定したため、先端凹陥部５ａ及び先端凹陥部５ｂの傾斜角α1、α2はともに３５°に設定される。図９の場合には、いちご収納部２を４×４＝１６個に設定したため、先端凹陥部５ａの傾斜角α1は６０°に、先端凹陥部５ｂの傾斜角α2は３０°に各設定される。また深さ角βは図８の場合５０°、図９の場合５５°に設定されている。なお、図８及び図９のトレー１の方形寸法Ｌ、Ｗは図１の場合と同一である。
【００３４】
トレー１の厚さ及び方形寸法は、上記実施例の数値に限定されないが、前述のように荷役用のパレットの方形寸法に影響を受けるので、荷役用のパレットの方形寸法が変更されれば変更可能である。またいちご収納部２の大きさ、寸法も変更可能である。例えば、図８実施例の場合本体凹陥部４の深さＤは１３ｍｍ、直径Ｅは２９ｍｍであり、図９実施例の場合同Ｄは１６ｍｍ、直径Ｅは３６ｍｍである。また、図８の場合、各中心間の距離は、ａ＝２７ｍｍ、ｂ＝２９．５ｍｍ、ｃ＝３３ｍｍに設定され、ｃ＞ｂ＞ａに形成される。図９の場合、各中心間の距離は、ａ＝４２．５ｍｍ、ｂ＝４４．９６ｍｍ、ｃ＝３３．５ｍｍに設定され、ｂ＞ａ＞ｃに形成される。
【産業上の利用可能性】
【００３５】
本願発明はいちごを収納する容器に利用することができる。
【符号の説明】
【００３６】
１      トレー
２      いちご収納部
３ａ    中心
３ｂ    中心
４      本体凹陥部
４ａ    本体凹陥部
４ｂ    本体凹陥部
５      先端凹陥部
５ａ    先端凹陥部
５ｂ    先端凹陥部
６ａ    ギャップ
６ｂ    ギャップ
７      基辺
８      エッジ（容器の）
８ａ    エッジ（トレーの）
９      容器
１０    蓋
１１    いちご
１２    先端部
１３    基端部
【図１】
2014084135.tif 000003
【図２】
2014084135.tif 000004
【図３】
2014084135.tif 000005
【図４】
2014084135.tif 000006
【図５】
2014084135.tif 000007
【図６】
2014084135.tif 000008
【図７】
2014084135.tif 000009
【図８】
2014084135.tif 000010
【図９】
2014084135.tif 000011
【手続補正書】
【提出日】平成25年9月4日(2013.9.4)
【手続補正１】
【補正対象書類名】明細書
【補正対象項目名】００１３
【補正方法】変更
【補正の内容】
【００１３】
上記目的達成のため、本願発明によるいちご収納トレーは、容器に装填されるいちご収納トレーにおいて、トレーは収納面が予め決められた一定の面積を有し、該収納面にいちごが収納される凹陥からなる複数のいちご収納部が設けられ、該いちご収納部は平面視略円形状に形成される本体凹陥部と、該本体凹陥部に連続して形成される平面視略三角形状の先端凹陥部とからなり、すべての先端凹陥部がトレーの基辺に対し斜設され、かつ、該基辺に直交する一の直交エッジ部に面する先端凹陥部の向きが隣接する先端凹陥部の向きに対し反対方向に形成されてなることを特徴とする。
また、請求項１記載のいちご収納トレーおいて、上記基辺に対し直交する方向に設けられたいちご収納部の最初の列及び最後の列が夫々反対方向に形成されてなることを特徴とする。
また、請求項１記載のいちご収納トレーにおいて、上記いちご収納部は複数列設けられ、各列の向きが交互であることを特徴とする。
また、請求項１記載のいちご収納トレーにおいて、上記いちご収納部は上記基辺に沿って複数個設けられ、かつ上記基辺に対し直交する方向にも複数個設けられることを特徴とする。
また、請求項１記載のいちご収納トレーにおいて、上記基辺が上記容器に設けられる蓋の開閉部に沿って形成されることを特徴とする。
また、請求項１記載のいちご収納トレーにおいて、上記基辺が上記容器に設けられる蓋の開閉部に直交して形成されることを特徴とする。
また、本願発明によるいちご容器は、容器に装填されるいちご収納トレーであって、該トレーは収納面が予め決められた一定の面積を有し、該収納面にいちごが収納される凹陥からなる複数のいちご収納部が設けられ、該いちご収納部は平面視略円形状に形成される本体凹陥部と、該本体凹陥部に連続して形成される平面視略三角形状の先端凹陥部とからなり、すべての先端凹陥部がトレーの基辺に対し斜設され、かつ、該基辺に直交する一の直交エッジ部に面する先端凹陥部の向きが隣接する先端凹陥部の向きに対し反対方向に形成されてなり、上記トレーが装填されたことを特徴とする。
【手続補正２】
【補正対象書類名】明細書
【補正対象項目名】００１９
【補正方法】変更
【補正の内容】
【００１９】
【図１】（Ａ）は本願発明によるいちご収納トレーの実施の形態を示す正面図、（Ｂ）は（Ａ）のＢ部詳細図、（Ｃ）は（Ｂ）の右側面図である。
【図２】図１の背面図である。
【図３】図１の底面図である。
【図４】図１のいちご収納トレーを容器に装填した状態を示す正面図である。
【図５】図１のいちご収納トレーを容器に装填した状態を示す他の実施例の正面図である。
【図６】本願発明によるいちご収納トレーの他の実施の形態を示す正面図、（Ｂ）は（Ａ）のＢ部詳細図、（Ｃ）は（Ｂ）の右側面図である。
【図７】いちごを示す正面図である。
【図８】（Ａ）は本願発明によるいちご収納トレーの他の実施例を示す正面図、（Ｂ）は（Ａ）のＢ部詳細図、（Ｃ）は（Ｂ）の右側面図である。
【図９】（Ａ）は本願発明によるいちご収納トレーのさらに他の実施例を示す正面図、（Ｂ）は（Ａ）のＢ部詳細図、（Ｃ）は（Ｂ）の右側面図である。
【手続補正３】
【補正対象書類名】明細書
【補正対象項目名】００２１
【補正方法】変更
【補正の内容】
【００２１】
該いちご収納部２は上記トレー１を凹陥せしめてなる本体凹陥部４および該本体凹陥部に連続して形成される先端凹陥部５からなる。本体凹陥部４はいちご１１の基端部１３を収納するための凹陥であり、開口を上からみたとき略半円形状に形成され、底面は容器への載置が安定するよう扁平に形成される（図１（Ｃ））。本体凹陥部４の深さＤは１４．５ｍｍ、直径Ｅは３３ｍｍである。先端凹陥部５はいちご１１の先端部１２を収納するための凹陥であり、開口を上からみたとき略三角形状に形成され、底面はいちご１１の先端部１２のテーパ形状に対応するよう上向きの傾斜に形成される（図１（Ｃ））。なお、１４はいちご１１のへた（図７に示す）である。
【手続補正４】
【補正対象書類名】図面
【補正対象項目名】図６
【補正方法】変更
【補正の内容】
【図６】
2014084135.tif 000012
【手続補正５】
【補正対象書類名】図面
【補正対象項目名】図８
【補正方法】変更
【補正の内容】
【図８】
2014084135.tif 000013
【手続補正６】
【補正対象書類名】図面
【補正対象項目名】図９
【補正方法】変更
【補正の内容】
【図９】
2014084135.tif 000014
【手続補正書】
【提出日】平成25年10月2日(2013.10.2)
【手続補正１】
【補正対象書類名】明細書
【補正対象項目名】００１３
【補正方法】変更
【補正の内容】
【００１３】
上記目的達成のため、本願発明によるいちご収納トレーは、容器に装填されるいちご収納トレーにおいて、トレーは収納面が予め決められた一定の面積を有し、該収納面にいちごが収納される凹陥からなる複数のいちご収納部が設けられ、該いちご収納部は平面視略円形状に形成される本体凹陥部と、該本体凹陥部に連続して形成される平面視略三角形状の先端凹陥部とからなり、すべての先端凹陥部がトレーの基辺に対し斜設され、かつ、該基辺に直交する一の直交エッジ部に面する先端凹陥部の向きが隣接する先端凹陥部の向きに対し反対方向に形成されてなることを特徴とする。
また、請求項１記載のいちご収納トレーにおいて、上記基辺に対し直交する方向に設けられたいちご収納部の最初の列及び最後の列が夫々反対方向に形成されてなることを特徴とする。
また、請求項１記載のいちご収納トレーにおいて、上記いちご収納部は複数列設けられ、各列の向きが交互であることを特徴とする。
また、請求項１記載のいちご収納トレーにおいて、上記いちご収納部は上記基辺に沿って複数個設けられ、かつ上記基辺に対し直交する方向にも複数個設けられることを特徴とする。
また、請求項１記載のいちご収納トレーにおいて、上記基辺が上記容器に設けられる蓋の開閉部に沿って形成されることを特徴とする。
また、請求項１記載のいちご収納トレーにおいて、上記基辺が上記容器に設けられる蓋の開閉部に直交して形成されることを特徴とする。
また、本願発明によるいちご容器は、容器に装填されるいちご収納トレーであって、該トレーは収納面が予め決められた一定の面積を有し、該収納面にいちごが収納される凹陥からなる複数のいちご収納部が設けられ、該いちご収納部は平面視略円形状に形成される本体凹陥部と、該本体凹陥部に連続して形成される平面視略三角形状の先端凹陥部とからなり、すべての先端凹陥部がトレーの基辺に対し斜設され、かつ、該基辺に直交する一の直交エッジ部に面する先端凹陥部の向きが隣接する先端凹陥部の向きに対し反対方向に形成されてなり、上記トレーが装填されたことを特徴とする。
【手続補正２】
【補正対象書類名】特許請求の範囲
【補正対象項目名】全文
【補正方法】変更
【補正の内容】
【特許請求の範囲】
【請求項１】
容器に装填されるいちご収納トレーにおいて、トレーは収納面が予め決められた一定の面積を有し、該収納面にいちごが収納される凹陥からなる複数のいちご収納部が設けられ、該いちご収納部は平面視略円形状に形成される本体凹陥部と、該本体凹陥部に連続して形成される平面視略三角形状の先端凹陥部とからなり、すべての先端凹陥部がトレーの基辺に対し斜設され、かつ、該基辺に直交する一の直交エッジ部に面する先端凹陥部の向きが隣接する先端凹陥部の向きに対し反対方向に形成されてなることを特徴とするいちご収納トレー。
【請求項２】
請求項１記載のいちご収納トレーにおいて、上記基辺に対し直交する方向に設けられたいちご収納部の最初の列及び最後の列が夫々反対方向に形成されてなることを特徴とするいちご収納トレー。
【請求項３】
請求項１記載のいちご収納トレーにおいて、上記いちご収納部は複数列設けられ、各列の向きが交互であることを特徴とするいちご収納トレー。
【請求項４】
請求項１記載のいちご収納トレーにおいて、上記いちご収納部は上記基辺に沿って複数個設けられ、かつ上記基辺に対し直交する方向にも複数個設けられることを特徴とするいちご収納トレー。
【請求項５】
請求項１記載のいちご収納トレーにおいて、上記基辺が上記容器に設けられる蓋の開閉部に沿って形成されることを特徴とするいちご収納トレー。
【請求項６】
請求項１記載のいちご収納トレーにおいて、上記基辺が上記容器に設けられる蓋の開閉部に直交して形成されることを特徴とするいちご収納トレー。
【請求項７】
容器に装填されるいちご収納トレーであって、該トレーは収納面が予め決められた一定の面積を有し、該収納面にいちごが収納される凹陥からなる複数のいちご収納部が設けられ、該いちご収納部は平面視略円形状に形成される本体凹陥部と、該本体凹陥部に連続して形成される平面視略三角形状の先端凹陥部とからなり、すべての先端凹陥部がトレーの基辺に対し斜設され、かつ、該基辺に直交する一の直交エッジ部に面する先端凹陥部の向きが隣接する先端凹陥部の向きに対し反対方向に形成されてなり、上記トレーが装填されたことを特徴とするいちご容器。
【手続補正書】
【提出日】平成26年2月25日(2014.2.25)
【手続補正１】
【補正対象書類名】明細書
【補正対象項目名】全文
【補正方法】変更
【補正の内容】
【発明の詳細な説明】
【技術分野】
【０００１】
本願発明は包装容器に関し、とくにいちごを収納するいちご収納トレーに関する。
【背景技術】
【０００２】
いちご容器は搬送上の都合から容器の寸法が事実上決められている。つまり、いちごが収納された容器は、例えば、（２×４）列×２段ずつダンボール製のカートン箱に詰められ、かかるカートン箱が荷役用のパレット上に（縦２×横３）列×複数段（例えば１４段）積層され、フォークリフトにより荷上げ、荷下ろしされる。荷役用のパレットの方形寸法は搬送上の都合から事実上規格化されている。このため、カートン箱及びいちご容器の寸法もこれに合致するよう求められるのである。よって、いちご容器に装填されるトレーの方形寸法も所定大となっており、収納面が事実上一定の面積に決められている。この搬送上の都合に伴なう制約は、外国取引とくに空輸されることが多い外国からのいちごの輸入の場合顕著となる傾向がある。
【０００３】
ところで、いちごは、その性質上基端部が傷み難いが、先端部は小なる振動によっても損傷し易い。またいちごは、先端部の形状維持が商品価値に大きく影響を及ぼす。このため、いちごはパック等の容器に収納されて流通、販売されている。
【０００４】
従来のいちご容器はダンボール製の箱形のものが主流であった。しかし、このような容器では、いちごを密に収納できる反面、いちごの収納が不定となり、収納されたいちご同士が流通過程で衝突した場合損傷することがあった。
【０００５】
また贈答用等の場合、透明の箱形パックの底部に薄い発泡ポリエチレンからなる中敷を敷いて振動からいちごを保護しようとするものがあった。しかし、このような容器でも大なる振動には対応できないことが多く、またいちごを密に収納できない難があった。
【０００６】
さらに、外国からの輸入取引においてはいちごを密に収納することが多いが、この場合、いちごのように傷み易いものであっても中敷を敷いた容器にいちごを収納するというようなことは行なわれないことが多い。このような場合、搬送中に損傷リスクが大となる欠点があった。
【０００７】
そこで、最近では特許文献１乃至４の如きトレーを敷いた容器が提案されている。
【先行技術文献】
【特許文献】
【０００８】
【特許文献１】特開２０１１−１０２１５２号公報
【特許文献２】特開２０１１−２５９４３号公報
【特許文献３】特開２０１０−１６８０８３号公報
【特許文献４】特開２００９−９６５４７号公報
【０００９】
特許文献１には半球状の収納凹部を備えたトレーが記載されている。これはいちごの基端部を収納凹部に収納して安定化を図るものであるが、いちごの先端部が上向きとなるため、収納されるいちご間にギャップ乃至遊びが多く生じる。このため搬送中の振動により先端部が蓋に衝突し、商品価値に大きく影響を及ぼす先端部が損傷し易い難があった。
【００１０】
また特許文献１乃至特許文献４にはいちごを収納する収納凹部がトレーに斜設されたものも提案されている。これらは収納されるいちご間に生ずるギャップによる難は軽減されるが、最後列のいちごの先端部が容器のエッジに面することとなるため、搬送中先端部が容器のエッジや蓋に触れるリスクが高くなり、これにより商品価値に大きく影響を及ぼす先端部が損傷し易い難があった。
【発明の概要】
【発明が解決しようとする課題】
【００１１】
本願発明は上記背景に鑑み、商品価値に大きく影響を及ぼす先端部の形状維持を図りながら、かつ容器へのいちごの収納を密にするという両立し難い課題の同時達成を図ることを目的とする。
【００１２】
また、容器に収納されたいちご全体の形状を消費者に訴求することにより、良好な陳列効果を図ることも目的とする。
【課題を解決するための手段】
【００１３】
上記目的達成のため、本願発明によるいちご収納トレーは、容器に装填されるいちご収納トレーにおいて、トレーは収納面が予め決められた一定の面積を有し、該収納面にいちごが収納される凹陥からなる複数のいちご収納部が設けられ、該いちご収納部は平面視略円形状に形成される本体凹陥部と、該本体凹陥部に連続して形成される平面視略三角形状の先端凹陥部とからなり、すべての先端凹陥部がトレーの基辺に対し斜設され、かつ、該基辺に直交する一の直交エッジ部に面するいちご収納部は、本体凹陥部が当該直交エッジ部に向けられるとともに、最も多く隣接する他のいちご収納部に対し本体凹陥部の中心に関して１８０°回転した状態の点対称に配されかつ先端凹陥部の向きが互いに逆向きに形成されてなることを特徴とする。
また、請求項１記載のいちご収納トレーにおいて、上記基辺に対し直交する方向に設けられたいちご収納部の最初の列及び最後の列が夫々反対方向に形成されてなることを特徴とする。
また、請求項１記載のいちご収納トレーにおいて、上記いちご収納部は複数列設けられ、各列の向きが交互であることを特徴とする。
また、請求項１記載のいちご収納トレーにおいて、上記いちご収納部は上記基辺に沿って複数個設けられ、かつ上記基辺に対し直交する方向にも複数個設けられることを特徴とする。
また、請求項１記載のいちご収納トレーにおいて、上記基辺が上記容器に設けられる蓋と上記容器との接合部に沿って形成されることを特徴とする。
また、請求項１記載のいちご収納トレーにおいて、上記基辺が上記容器に設けられる蓋と上記容器との接合部に直交して形成されることを特徴とする。
また、本願発明によるいちご容器は、容器と該容器に装填されるいちご収納トレーとからなり、該トレーは収納面が予め決められた一定の面積を有し、該収納面にいちごが収納される凹陥からなる複数のいちご収納部が設けられ、該いちご収納部は平面視略円形状に形成される本体凹陥部と、該本体凹陥部に連続して形成される平面視略三角形状の先端凹陥部とからなり、すべての先端凹陥部がトレーの基辺に対し斜設され、かつ、該基辺に直交する一の直交エッジ部に面するいちご収納部は本体凹陥部が当該直交エッジ部に向けられるとともに、最も多く隣接する他のいちご収納部に対し本体凹陥部の中心に関して１８０°回転した状態の点対称に配されかつ先端凹陥部の向きが互いに逆向きに形成されてなり、上記トレーが容器に装填されたことを特徴とする。
【発明の効果】
【００１４】
本願発明によるいちご収納トレーは、すべてのいちご収納部がトレーの基辺に対し斜設されている。このため、いちごを収納する際、テーパ状に径小となるいちごの先端部がすべて同一方向となっても、隣接する先端部に干渉せずにギャップを可及的に小とする。よっていちごをトレーの単位面積当たり一層密に収納することができる。
【００１５】
また基辺に直交する一の直交エッジ部に面するいちご収納部は、本体凹陥部が当該直交エッジ部に向けられるとともに、最も多く隣接する他のいちご収納部に対し本体凹陥部の中心に関して１８０°回転した状態の点対称に配されかつ先端凹陥部の向きが互いに逆向きに形成されてなる。つまり、最終列２Ｅの各いちご収納部は、各先端凹陥部に隣接する列の各先端凹陥部に対し逆向きになっている。このため最終列２Ｅの各いちご収納部に収納されるいちごは衝撃に強い基端部がディスプレイの下方となり、最終列２Ｅを下方にして陳列する場合、陳列時の衝撃によりいちご先端部の傷みを防止する。よって先端部の形状維持を図ることができ、また良好な陳列効果を得ることができる。
【００１６】
最終列の本体凹陥部の中心と、隣接する列の本体凹陥部の中心とは位置がずれる。この位置ずれにより、いちごを単位面積当たり密に収納するにもかかわらず、最終列の先端凹陥部が隣接する列の先端凹陥部に干渉されずに、三角形状の先端凹陥部を最終列の本体凹陥部と隣接する列の本体凹陥部との間に配設することができる。よって、いちご先端部の形状維持を図るとともに、いちごの収納を密にして容器に収納することができる。
【００１７】
また、流通搬送中に振動が発生しても、トレーのエッジにいちごの先端部が衝突することはないので、流通搬送中にいちごの先端部が損傷する恐れがない。
【００１８】
さらに、いちごの先端部の形状維持を図ることにより容器に収納されたいちご全体の形状を消費者に訴求することができ、良好な陳列効果を図ることができる。
【図面の簡単な説明】
【００１９】
【図１】（Ａ）は本願発明によるいちご収納トレーの実施の形態を示す正面図、（Ｂ）は（Ａ）のＢ部詳細図、（Ｃ）は（Ｂ）の右側面図である。
【図２】図１の背面図である。
【図３】図１の底面図である。
【図４】図１のいちご収納トレーを容器に装填した状態を示す正面図である。
【図５】図１のいちご収納トレーを容器に装填した状態を示す他の実施例の正面図である。
【図６】本願発明によるいちご収納トレーの他の実施の形態を示す正面図、（Ｂ）は（Ａ）のＢ部詳細図、（Ｃ）は（Ｂ）の右側面図である。
【図７】いちごを示す正面図である。
【図８】（Ａ）は本願発明によるいちご収納トレーのさらに他の実施例を示す正面図、（Ｂ）は（Ａ）のＢ部詳細図、（Ｃ）は（Ｂ）の右側面図である。
【発明を実施するための形態】
【００２０】
次に、実施の形態を示す図面に基づき本願発明によるいちご収納トレーをさらに詳しく説明する。なお、便宜上同一の機能を奏する部分には同一の符号を付してその説明を省略する。１はトレーであり、厚さ１．５ｍｍの発泡ポリエチレンからなり、方形に形成される。方形の寸法は搬送の都合から事実上決められている。図１の場合縦Ｌが１４０ｍｍ、横Ｗが１７０ｍｍとなっている。該トレー１に複数個のいちご収納部２が設けられる。
【００２１】
該いちご収納部２は上記トレー１を凹陥せしめてなる本体凹陥部４および該本体凹陥部に連続して形成される先端凹陥部５からなる。本体凹陥部４はいちご１１の基端部１３を収納するための凹陥であり、開口を上からみたとき略半円形状に形成され、底面は容器への載置が安定するよう扁平に形成される（図１（Ｃ））。本体凹陥部４の深さＤは１４．５ｍｍ、直径Ｅは３３ｍｍである。先端凹陥部５はいちご１１の先端部１２を収納するための凹陥であり、開口を上からみたとき略三角形状に形成され、底面はいちご１１の先端部１２のテーパ形状に対応するよう上向きの傾斜に形成される（図１（Ｃ））。なお、１４はいちご１１のへた（図７に示す）である。
【００２２】
上記いちご収納部２は、トレー１の基辺７に対し、先端凹陥部５ａが上向きに傾斜するよう配設し、各列２Ａ乃至２Ｄを構成する。即ち、各列２Ａ乃至２Ｄの先端凹陥部５ａはすべて同一の方向に配設される。最後の列を構成するいちご収納部２Ｅは、先端凹陥部５ｂの向きが上記各列２Ａ乃至２Ｄの先端凹陥部５ａとは反対の下向きに傾斜する。先端凹陥部５ａ及び先端凹陥部５ｂの傾斜角αは図１実施例の場合４５°である。また、先端凹陥部５ａ及び先端凹陥部５ｂの深さ角βはともに４５°である。かくして、トレー１に基辺７に沿った４行×基辺７に直交した５列＝２０個のいちご収納部２が配設される。
【００２３】
図１の実施の形態は、各列２Ａ乃至２Ｄの先端凹陥部５ａの向きを上向き（正）とし、最後の列２Ｅの先端凹陥部５ｂの向きを下向き（逆）とした場合である。
【００２４】
図４はかかるトレー１を容器９に装填し、ここにいちご１１を収納した場合を示す。この場合、トレー１は容器９の蓋１０が前後方向に開閉するよう装填されている。このようにトレー１を容器９に装填すると、いちごの収納に当たり、蓋１０が作業員の手に当たることがないので、作業が一層捗る効果がある。図５は蓋１０が左右方向に開閉するよう装填する他の実施例を示す。
【００２５】
本実施の形態によれば、すべてのいちご収納部２がトレーの基辺７に対し斜設されているから、いちご１１を収納する際、テーパ状に径小となるいちごの先端部１２がすべて同一方向となっても、隣接する先端部１２に干渉せずにギャップ６ａ、６ｂを可及的に小とする。よっていちご１１を単位面積当たり密に収納することができる。
【００２６】
また基辺に直交する一の直交エッジ部８ａに面する先端凹陥部５ｂの向きが隣接する先端凹陥部５ａの向きに対し反対方向に形成されてなる。つまり、最終列２Ｅの各いちご収納部２は、各先端凹陥部５ｂが隣接する列２Ｄの各先端凹陥部５ａに対し逆向きになっている。このため最終列２Ｅの各いちご収納部に収納されるいちごは衝撃に強い基端部がディスプレイの下方となり、最終列２Ｅを下方にして陳列する場合、陳列時の衝撃によりいちご先端部の傷みを防止する。よって先端部の形状維持を図ることができ、また良好な陳列効果を得ることができる。
【００２７】
ここで、列２Ａ−２Ｂ、列２Ｂ−２Ｃ及び列２Ｃ−２Ｄの各中心３ａ−３ａ間の横Ｗ方向の距離ａは夫々３３ｍｍに形成され等しいのであるが、最終列２Ｅ−２Ｄの各中心３ａ−３ｂ間の同距離ｂは３５ｍｍに形成され、上記各中心３ａ−３ａ間の距離ａより大に形成される。この結果、最終列２Ｅの本体凹陥部４ｂの中心３ｂと、隣接する列２Ｄの本体凹陥部４ａの中心３ａとは位置がずれる。なお、本実施例では各行間の中心３ａ−３ａ間の縦Ｌ方向の距離ｃ及び各行間の最後のいちご収納部の中心３ｂ−３ｂ間の縦Ｌ方向の距離ｃは等しく３３．５ｍｍに形成され、距離ｂ＞距離ｃ＞距離ａとなっている。
【００２８】
この位置ずれにより、最終列２Ｅの先端凹陥部５ｂが隣接する列２Ｄの先端凹陥部５ａに干渉されずに、三角形状の先端凹陥部５ｂを最終列２Ｅの本体凹陥部４ｂと隣接する列２Ｄの本体凹陥部４ａとの間に配設することができる。よって、いちご先端部の形状維持を図るとともに、いちごの収納を密にして容器に収納することができる。さらに流通搬送中に振動が発生しても、商品価値に大きな影響を及ぼすいちご１１の先端部１２が容器９のエッジ８に衝突するのを防止することができるので、いちご１１の先端部１２が損傷する恐れがない。
【００２９】
また、流通搬送中に振動が発生しても、容器９の蓋１０による干渉がないので、いちご１１とくに先端部１２が損傷する恐れがない。
【００３０】
図６の実施の形態は、列２Ａの先端凹陥部５ａの向きを上向き（正）とし、列２Ｂの先端凹陥部５ｂの向きを下向き（逆）とし、列２Ｃの先端凹陥部５ａの向きを上向き（正）とし、列２Ｄの先端凹陥部５ｂの向きを下向き（逆）とした場合である。
【００３１】
図６の場合、トレー１の方形寸法Ｌ、Ｗは図１の場合と同一である。この場合、いちご収納部２は４行×４列＝１６個設けられる。よって先端凹陥部５ａの傾斜角α1は６０°に、先端凹陥部５ｂの傾斜角α2は３０°に各設定され、また先端凹陥部５ａ及び先端凹陥部５ｂの深さ角βはともに５５°に設定される。この場合の本体凹陥部４の深さＤは１６ｍｍ、直径Ｅは３６ｍｍである。図６の場合、各中心間の距離は、ａ＝４２．５ｍｍ、ｂ＝４４．９６ｍｍ、ｃ＝３３．５ｍｍに設定されｂ＞ａ＞ｃに形成される。
【００３２】
図６のように先端凹陥部５の向きを交互に反対方向にすると、隣接するいちご１１の基端部１３が尻合わせとなって、本体凹陥部４ａ、４ｂ間のギャップ６ａ、６ｂが一層小となるので、一層いちごの収納を密とすることができ望ましい。よって、かかる実施の形態においても、図１の実施の形態で述べたと同様、商品価値に大きく影響を及ぼす先端部１２の形状維持を図りながら、かつ単位面積当たりの容器へのいちご１１の収納を密にするという両立し難い課題の同時達成を図ることができる。
【００３３】
本願発明は上記した実施の形態に限定されることはない。例えば、いちご収納部２の個数及び行列数は任意である。いちご収納部２の傾斜角αは上記実施例の数値に限定されないが、いちご収納部２の個数及び行列数の個数に影響を受ける。これは、搬送の都合からトレー１の方形寸法が事実上決められているところ、所定の面積の中に先端部１２の形状維持と単位面積当たりの最も密な収納を図るため、最適な傾斜角αを求める必要があるからである。例えば、いちご収納部２を５×４＝２０個に設定した場合は、先端凹陥部５ａ及び先端凹陥部５ｂの傾斜角αはともに４５°に設定される（図１）。いちご収納部２を４×４＝１６個に設定した場合は、先端凹陥部５ａの傾斜角α1は６０°に、先端凹陥部５ｂの傾斜角α2は３０°に各設定される（図６）。いちご収納部２を４×４＝１６個に設定した場合は、先端凹陥部５ａの傾斜角α1は６０°に、先端凹陥部５ｂの傾斜角α2は３０°に各設定される（図８）。また深さ角βは図８の場合５５°に設定されている。なお、図８のトレー１の方形寸法Ｌ、Ｗは図１の場合と同一である。
【００３４】
トレー１の厚さ及び方形寸法は、上記実施例の数値に限定されないが、前述のように荷役用のパレットの方形寸法に影響を受けるので、荷役用のパレットの方形寸法が変更されれば変更可能である。またいちご収納部２の大きさ、寸法も変更可能である。例えば、図８実施例の場合、本体凹陥部４の深さＤは１６ｍｍ、直径Ｅは３６ｍｍであり、各中心間の距離は、ａ＝４２．５ｍｍ、ｂ＝４４．９６ｍｍ、ｃ＝３３．５ｍｍに設定され、ｂ＞ａ＞ｃに形成される。
【産業上の利用可能性】
【００３５】
本願発明はいちごを収納する容器に利用することができる。
【符号の説明】
【００３６】
１      トレー
２      いちご収納部
３ａ    中心
３ｂ    中心
４      本体凹陥部
４ａ    本体凹陥部
４ｂ    本体凹陥部
５      先端凹陥部
５ａ    先端凹陥部
５ｂ    先端凹陥部
６ａ    ギャップ
６ｂ    ギャップ
７      基辺
８      エッジ（容器の）
８ａ    エッジ（トレーの）
９      容器
１０    蓋
１１    いちご
１２    先端部
１３    基端部
【手続補正２】
【補正対象書類名】特許請求の範囲
【補正対象項目名】全文
【補正方法】変更
【補正の内容】
【特許請求の範囲】
【請求項１】
容器に装填されるいちご収納トレーにおいて、トレーは収納面が予め決められた一定の面積を有し、該収納面にいちごが収納される凹陥からなる複数のいちご収納部が設けられ、該いちご収納部は平面視略円形状に形成される本体凹陥部と、該本体凹陥部に連続して形成される平面視略三角形状の先端凹陥部とからなり、すべての先端凹陥部がトレーの基辺に対し斜設され、かつ、該基辺に直交する一の直交エッジ部に面するいちご収納部は、本体凹陥部が当該直交エッジ部に向けられるとともに、最も多く隣接する他のいちご収納部に対し本体凹陥部の中心に関して１８０°回転した状態の点対称に配されかつ先端凹陥部の向きが互いに逆向きに形成されてなることを特徴とするいちご収納トレー。
【請求項２】
請求項１記載のいちご収納トレーにおいて、上記基辺に対し直交する方向に設けられたいちご収納部の最初の列及び最後の列が夫々反対方向に形成されてなることを特徴とするいちご収納トレー。
【請求項３】
請求項１記載のいちご収納トレーにおいて、上記いちご収納部は複数列設けられ、各列の向きが交互であることを特徴とするいちご収納トレー。
【請求項４】
請求項１記載のいちご収納トレーにおいて、上記いちご収納部は上記基辺に沿って複数個設けられ、かつ上記基辺に対し直交する方向にも複数個設けられることを特徴とするいちご収納トレー。
【請求項５】
請求項１記載のいちご収納トレーにおいて、上記基辺が上記容器に設けられる蓋と上記容器との接合部に沿って形成されることを特徴とするいちご収納トレー。
【請求項６】
請求項１記載のいちご収納トレーにおいて、上記基辺が上記容器に設けられる蓋と上記容器との接合部に直交して形成されることを特徴とするいちご収納トレー。
【請求項７】
容器と該容器に装填されるいちご収納トレーとからなり、該トレーは収納面が予め決められた一定の面積を有し、該収納面にいちごが収納される凹陥からなる複数のいちご収納部が設けられ、該いちご収納部は平面視略円形状に形成される本体凹陥部と、該本体凹陥部に連続して形成される平面視略三角形状の先端凹陥部とからなり、すべての先端凹陥部がトレーの基辺に対し斜設され、かつ、該基辺に直交する一の直交エッジ部に面するいちご収納部は本体凹陥部が当該直交エッジ部に向けられるとともに、最も多く隣接する他のいちご収納部に対し本体凹陥部の中心に関して１８０°回転した状態の点対称に配されかつ先端凹陥部の向きが互いに逆向きに形成されてなり、上記トレーが容器に装填されたことを特徴とするいちご容器。
【手続補正３】
【補正対象書類名】図面
【補正対象項目名】図８
【補正方法】変更
【補正の内容】
【図８】
2014084135.tif 000015
【手続補正４】
【補正対象書類名】図面
【補正対象項目名】図９
【補正方法】削除
【補正の内容】